(57)【特許請求の範囲】
【請求項１】
２本の樹脂製チューブを並べた外に断熱層を形成し、更にこの断熱層の外にアルミニュウム製テープを螺旋状に巻きつけて１本のペアチューブを構成し、このペアチューブをＣＤ管内に挿入してなる温水式床暖房用導管材において、前記ペアチューブの外に柔軟性を有する舌片を周囲に突設したスペーサを装着することにより、このスペーサの作用によりＣＤ管内に空気層１３が全長に亘って均一に形成されるように構成したことを特徴とする温水式床暖房用導管材。
【発明の詳細な説明】
【技術分野】
【０００１】
本発明は、床暖房装置において、熱源機と床暖房用温水マット間を結ぶ導管材に関するものである。
【背景技術】
【０００２】
図８に従来の床暖房システムを示す。この図８において、符号の１００は熱源機、１０１は床暖房用温水マット、１０２は放熱器、１０３、１０４は熱源機１００と温水マット１０１、エアコン１０２を結ぶ温水循環用の導管材、１０５は外壁、１０６は床スラブであって、前記導管材１０３、１０４は図９に示すように、２本の樹脂チューブ２、３の外にアルミニュウム製テープ６を一部オーバーラップさせて螺旋状に巻きつけて束ねた所謂ペアチューブと称され、、このペアチューブ４は、断面円形又は楕円形状のＣＤ管９の内に挿通されている。
【０００３】
しかし、この従来の導管材には、次のような欠点がある。
１．アルミニュウムテープ６は、２本のチューブ２、３を束ねるだけの目的であるため
、断熱効果がない。
２．配管後のＣＤ管９内には、空気が自由に入り込むため、ＣＤ管９は、厳しい冷気の
通り道となって、ペアチューブ４自体が直接冷却され、熱損失が非常に大きい。
３．ＣＤ管９内にペアチューブ４を挿通するときに、ＣＤ管９の内側の山にペアチュー
ブ４の先端が引っ掛かって挿通しにくい。
４．施工上、ＣＤ管９の外径はできるだけ小径が望ましいことから、常法でペアチュー
ブ４の外に断熱層を形成した場合、どうしてもペアチューブ４の外径が太くなり、従
来のこの種床暖房用ＣＤ管９内に通しにくくなる。
【０００４】
その他のこの種導管材であって、断熱構造を有するものとしては、次のようなものが公知である。
【特許文献１】特開２００５−２０１５６１号公報  この公知例は、「温水が流通する往き管３及び戻り管５と、往き管３及び戻り管５を被覆する断熱被覆管７とを有していて、断熱被覆管７は平行２端辺を有する平板状の１枚の断熱部材を用いて成形され、往き管３及び戻り管５を管軸を揃えて収容する中空筒状部１７、１８と、中空筒状部１７、１８を管端部から管軸に沿って分離可能に接続する接続部１９とを有する温水配管」であって、ペアチューブと称される導管の一種である。
【０００５】
しかし、この公知例の場合、鞘管と組み合わせたものでないことから、鞘管に対する挿入しやすさ、と云った課題の解決手段は示されていないばかりか、２本の管３、５に１枚の断熱部材を巻きつけているため、この巻きつけには手間がかかる。また、２本の管３、５は、束ねられていないため、配管作業時に小さな力がかかると離れることがあり、実用には不適である。
【０００６】
【特許文献２】特開２００５−２０１５６０号公報  この公知例は、「温水が流通する往き管３及び戻り管５と、往き管３及び戻り管５の管軸を揃えて収容した中空筒状部１７、１８と、中空筒状部１７、１８を管軸に沿って管端部から分離可能に接続する接続部１９と、断熱性を備え可撓性に優れた外皮管７とを有した構成の温水配管１」であって、これもペアチューブと称される導管の一種である。
【０００７】
しかし、この温水配管１の場合、ＣＤ管内に挿入しているが、往きと戻り管３、５は断熱部材で別々に被覆されており、製造にコストがかかる。また、管３、５をＣＤ管内に挿入するときは、ＣＤ管の内径山に引っ掛かって挿入がしにくいという欠点がある。
【特許文献３】特開２００２−３２３１９４号公報
【特許文献４】特開平１０−３１８４４５号公報
【発明の開示】
【発明が解決しようとする課題】
【０００８】
本発明の目的は、ペアチューブをＣＤ管内に挿通しやすい床暖房用導管材を提供すると共に、従来の太さのＣＤ管をそのまま用いて断熱性能を確保できる床暖房用導管材を提供することである。
【課題を解決するための手段】
【０００９】
上記目的を達成するため、請求項１に記載の発明においては、温水式床暖房用導管材において、２本の樹脂製チューブを並べた外に断熱層を形成し、更にこの断熱層の外にアルミニュウム製テープを螺旋状に巻きつけて１本のペアチューブを構成し、このペアチューブをＣＤ管内に挿入してなる温水式床暖房用導管材において、前記ペアチューブの外に柔軟性を有する舌片を周囲に突設したスペーサを装着することにより、このスペーサの作用によりＣＤ管内に空気層１３が全長に亘って均一に形成されるように構成したことを特徴とするものである。
【発明の効果】
【００１０】
１．ペアチューブにおいて、２本のチューブを束ねるアルミニュウム製テープの内側に
、断熱層を形成したことにより、ペアチューブ内の保温効果が高まり、熱の損失を軽
減できる。実験例でみると、１ｍｍ厚の発泡ポリエチレンを断熱材として使用した場
合、その熱損失をアルミニュウム製テープを巻いただけの従来品に比較して、１５〜
３０％改善できた。
２．ＣＤ管とペアチューブ間に断熱空気層を均一につくり、更に閉塞鍔及び断熱塗料層
の形成により、更に数％の熱損失の改善を認めることができた。
３．ＣＤ管の太さをそのままとしながら、ペアチューブの太さを抑えたことにより、既
存のＣＤ管の利用あるいは既設備のＣＤ管内に新規に本発明に係るペアチューブを挿
入したりすることができるため、既設の設備において省エネ化のために導管材を交換
できる。
４．ＣＤ管及びペアチューブを楕円形状に形成することにより、巻き径を小さくして保
管あるいは運搬に供することができて便利である。
５．ＣＤ管内にあらかじめペアチューブを挿通して工場出荷を図り、現場で導管材をカ
ットして使用できるため、導管材に無駄がない。
６．ＣＤ管の内径側の山側にＲをつけたことにより、ペアチューブを挿入するときに引
っ掛かったりする心配がない。
７．２本のチューブに断熱材を巻きつける手法として、抱き込み方式を採用したことに
より、ペアチューブの製造を自動化できる。
【実施例】
【００１１】
図１〜図７に基づいて、請求項１に記載した本発明の実施例と関連技術を詳述する。
図１は導管材の製法の説明図、図２は断熱材の説明図、図３はペアチューブとＣＤ管の説明図、図４はＣＤ管内にペアチューブを挿通した配管材の説明図、図５は図４におけるＡ−Ａ′線断面図である。
【００１２】
前記各図において、符号の１は導管材の全体を示し、２、３は樹脂製のチューブであって、一方が温水往き管、他方が温水戻り管である。４はペアチューブ、５は前記チューブ２、３を抱き込むようにして長手方向の両端を円曲し、引き寄せてチューブ２、３の外に巻きつけられた断熱材（テープ）、６は前記断熱材５の外に一部オーバーラップさせながら螺旋状に巻きつけられたアルミニュウム製テープであって、このアルミニュウム製テープ６により、２本のチューブ２、３、及び断熱材５は束ねられている。
【００１３】
上記構成のペアチューブ４は、図１において、押出し機から２本のチューブ２、３を押し出したのち、２本のチューブ２、３を並列させ、次にこの外に断熱材５の両端を円曲させながら、引き寄せて突き合わせ、次にこの上にアルミニュウム製テープ６を一部オーバーラップ４ａさせながら、螺旋状に巻きつける工程により製造される。
【００１４】
この製法に使用される押出し機及び断熱材５の巻きつけ機及びアルミニュウム製テープ６の螺旋巻き機は、既に使用されているものを用いることができる。なお、断熱材５を２本のチューブ２、３に巻きつけるとき、断熱材５の内面にあらかじめ接着剤を塗布しておくようにしても良い。
本実施例において、２本のチューブ２、３の材質は架橋ポリエチレン、断熱材５には１ｍｍ厚の発泡ポリエチレンを使用した。なお、断熱材５の厚さは、０．５ｍｍ以上、３ｍｍ以下が実用的である。
【００１５】
図３において、９はＣＤ管であって、このＣＤ管９は、断面楕円形状を呈し、更に、その山は図４に示すように、外径側の山１０の幅Ｗ1は、谷１１側の幅Ｗ2より大きく設定されていて、円曲しやすく工夫され、更に、内径側の山１２にはＲがつけられていて、ペアチューブ４の挿入をしやすくする工夫がなされている。
【００１６】
図５において、符号の１３はペアチューブ４をＣＤ管９内に挿通したときに、このペアチューブ４とＣＤ管９間に形成された断熱空気層であって、この空気層１３は、全長に亘って均一に形成されるように、ペアチューブ４の外に図６（Ａ）（Ｂ）に示すように、柔軟性を有する舌片状のスペーサ１３ａが取り付けてある。
但し、このスペーサ１３ａの形状等は特に限定されず、要件としては、ＣＤ管９内にペアチューブ４を挿入するときに、障害とならない程度の弾性が必要であり、柔軟性を保有する樹脂又はゴム材の利用が考えられる。
【００１７】
図７において、１４はＣＤ管９の両端部に装着されるペアチューブ４を通すための長穴１５付のＣＤ管閉塞鍔であって、この閉塞鍔１４は、ＣＤ管９内に冷気が侵入するのを防ぎ、内部の断熱空気層１３の温度の安定を図ること及び内部に虫や埃等が侵入するのを防止する役目を持っている。
上記実施例において、更なる断熱効果を高め、且つ寸法的には殆ど影響がない手法として、公知の断熱塗料をペアチューブ４の表面に吹き付けたり、ＣＤ管９の内面又は外面又はこの双方に吹き付けるようにしても良い。
なお、実施例のＣＤ管９は楕円形状を呈しているが、真円形状のＣＤ管を用いてもよい。
また、本発明において、導管材は、床暖房用ばかりでなく、各種の温水又は冷媒搬送用として用いることができる。
【図面の簡単な説明】
【００１８】
【図１】本発明に係る導管材の製造工程の説明図
【図２】断熱材（テープ）の説明図
【図３】ペアチューブとＣＤ管の説明図
【図４】配管材の断面図
【図５】Ａ−Ａ′線断面図
【図６】（Ａ）はスペーサの説明図、（Ｂ）はペアチューブにスペーサを取り付けた状態の説明図
【図７】（Ａ）は閉塞鍔の説明図、（Ｂ）はＣＤ管に閉塞鍔を取り付けた状態の説明図
【図８】床暖房システムの説明図
【図９】従来のペアチューブとＣＤ管の説明図
【符号の説明】
【００１９】
１  配管材
２、３  チューブ
４  ペアチューブ
５  断熱材
６  アルミニュウム製テープ
９  ＣＤ管
１０  山
１１  谷
１３  断熱空気層
１３ａ  スペーサ
１４  閉塞鍔
１５  長穴
【図１】
0004881091.tif 000002
【図２】
0004881091.tif 000003
【図３】
0004881091.tif 000004
【図４】
0004881091.tif 000005
【図５】
0004881091.tif 000006
【図６】
0004881091.tif 000007
【図７】
0004881091.tif 000008
【図８】
0004881091.tif 000009
【図９】
0004881091.tif 000010